(57)【要約】      （修正有）【課題】物品搬送に用いられる吸盤付ロールにおいて、吸盤が脱落した場合、再度接着剤で固定する必要があり、接着剤の固化に長時間を要し、また吸着出来ない吸盤を取り外して新規の吸盤を取り付ける場合も同様に長時間を要していたものを容易に交換出来るようにする。【解決手段】吸盤８の脚部貫通孔とロール１の端面貫通孔５とをスプリングピンなどのピン１２を介して固定する。別法として吸盤脚部拡径部とロール表面穴部拡径部を嵌合するなどにより固定する。【選択図】図４
0003141242.tif 000002
【実用新案登録請求の範囲】
【請求項１】
ロール回転軸を中心に回転可能な搬送用ロールの両端面に貫通して穿孔され、ロール回転軸に平行に形成されたロール貫通孔と、ロール表面に、ロール回転軸中心に向かって穿孔され、且つ、ロール貫通孔に連通するロール表面穴部と、吸着部の背面に突出形成された脚部を有し、その脚部に吸盤貫通孔が形成された脚部が、ロール表面穴部に挿入された吸盤とロール貫通孔と吸盤貫通孔とを貫いて挿入されたピンとからなり吸盤をロール表面に固定することを特徴とする搬送用吸盤取付ロール。
【請求項２】
上記ピンとしてスプリングピンを用いることによって吸盤をロール表面に固定することを特徴とする請求項１記載の搬送用吸盤取付ロール。
【請求項３】
上記ピンとして一端部分に雄ねじを切り反対側に溝を持ったピンを用い、更に上記ロール貫通孔に雌ねじを切ることによって、吸盤をロール表面に固定することを特徴とする請求項１記載の搬送用ロール。
【請求項４】
ロール表面においてロール回転軸中心に向かって穴を開け、且つ、この穴の底部近傍に拡径部が設けられたロール表面穴部と、吸着部の背面に突出形成された脚部を有しその脚部にロール表面穴部の底部近傍の拡径部と略同一サイズの拡径部を有する吸盤とからなり、ロール表面穴部拡径部に吸盤脚部拡径部を組み込み嵌合することにより、吸盤をロール表面に固定することを特徴とする搬送用吸盤取付ロール。
【請求項５】
ロール表面においてロール回転軸中心に向かって穴を開け、この穴に雌ねじが切られたロール表面穴部と、吸着部の背面に突出形成された脚部に、前記雌ねじに対応して捻じ込まれるように雄ねじが切られた吸盤とからなり吸盤をロール表面に固定することを特徴とする搬送用吸盤取付ロール。
【請求項６】
ロール表面においてロール回転軸中心に向かって穴を開け、この穴に雌ねじが切られたロール表面穴部と、前記雌ねじ対応する雄ねじボルトからなり、吸盤をロール表面に固定することを特徴とする搬送用吸盤取付ロール。
【考案の詳細な説明】
【技術の分野】
【０００１】本考案は、回転ロールへの吸盤を取付るための手段に関するものである。
【背景技術】
【０００２】例えば、電極アレーに形成した複数の荷電粒子通過部を通過する荷電粒子を記録媒体に付着させて画像を記録する画像記録装置において、アルミなどの金属製電極ロールの表面に、保持手段としての多数の吸盤が設けられている。これは記録媒体の荷電粒子通過部への接触を防止するためのものである。即ち背面電極ローラの吸盤と記録媒体である記録用紙との間の空気が追い出されてその部分が密閉されて空気の侵入が無くなることにより（気密状態となることにより）、吸盤に吸い付くことになり上記目的が達せられる。なお吸盤はロールの表面に密着一体化の状態で固定されている。
【特許文献】特開平９−１８５１号公報
【考案の開示】
【考案が解決しようとする課題】
【０００３】これまで、吸盤はロールに接着剤等で固定されているため使用している時吸盤がロールから脱落する不具合が度々発生していた。また、吸盤は長時間使用により磨耗あるいは疲労して空気を十分に吸着できない状態にしばしば陥っていた。吸盤が脱落した場合、再度接着剤で固定する必要があり、接着剤の固化に長時間を要し、また吸着出来ない吸盤を取り外して新規の吸盤を取り付ける場合も同様に長時間を要していたものを容易に交換出来るようにしよぅとするものである。
【課題を解決するための手段】
【０００４】このような問題点を解決するために吸盤をロールに、強固に固定する手段、更に吸着出来なくなった吸盤の取り外し、新規吸盤の取付を容易にするための手段を考案したものである。【０００５】上記目的を達成するために本考案の、請求項１記載の搬送用吸盤取付ロールは、ロール回転軸を中心に回転可能な搬送用ロールの両端面に貫通して穿孔され、ロール回転軸に平行に形成されたロール貫通孔と、ロール表面に、ロール回転軸中心に向かって穿孔され、且つ、ロール貫通孔に連通するロール表面穴部と、吸着部の背面に突出形成された脚部を有し、その脚部に吸盤貫通孔が形成された脚部が、ロール表面穴部に挿入された吸盤とロール貫通孔と吸盤貫通孔とを貫いて挿入されたピンとからなり吸盤をロール表面に固定することを特徴とする。即ちピンを用いて機械的に吸盤をロールに固定するため、従来の接着剤使用に比べ格段と吸盤が脱落し難く、かつ、ピンを差し替えるだけで吸着能力が失われた失格吸盤を新規吸盤に交換するに際してのメンテナンスは甚だ容易迅速に行うことが出来る効果がある。【０００６】また、請求項２記載の搬送用吸盤取付ロールは、請求項１記載のピンとしてスプリングピンを用いることによって吸盤をロール表面に容易に固定することを特徴とする。スプリングピンはパイプ状の弾性をもつ金属をＣ形にしたもので、挿入する孔の孔径よりもやや太くしてしている、そのため孔に挿入されたスプリングピンは、自身のもつ拡張弾性により孔に密着して固定される。このスプリングピンは、手近にある釘のような金属棒を打ち込むだけで安易にロール孔から抜き取ることが出来るため機能失格吸盤の交換は容易迅速に行うことが出来る効果がある。【０００７】更に、請求項３記載の搬送用吸盤取付ロールは、請求項１記載のピンとして一端部分に雄ねじを切り反対側に溝を持ったピンを用い、更に上記ロール貫通孔に雌ねじを切ることによって吸盤を回転ロール表面に固定することを特徴とする。雄ねじと溝を持つピンは棒状にして前記貫通孔の雌ねじに捻じ込むことによってピンは、孔に固定される。この雄ねじ付ピンは手近にあるドライバーなどをピンの溝に当てて回転させることにより抜き替えは甚だ容易に行うことが出来る効果がある。【０００８】また、請求項４記載の搬送用吸盤取付ロールは、ロール表面において回転軸中心に向って穴を開け、且つ、この穴の底部近傍に拡径部が設けられたロール表面穴部と、吸着部の背面に突出形成された脚部を有しその脚部にロール表面穴部の底部近傍の拡径部と略同一サイズの拡径部を有する吸盤とからなり、ロール表面穴部拡径部に吸盤脚部拡径部を組み込み嵌合することにより、吸盤をロール表面穴部拡径部に吸盤脚部拡径部を組み込み嵌合することにより、吸盤をロール表面に固定することを特徴とする。尚  拡径部の穴は専用の装置、工具により容易に製作することが出来る。【０００９】また、請求項５記載の搬送用吸盤取付ロールは、ロール表面においてロール回転軸中心に向かって穴を開け、この穴に雌ねじが切られたロール表面穴部と、吸着部の背面に突出形成された脚部に、前記雌ねじに対応して捻じ込まれるように雄ねじが切られた吸盤とからなり吸盤をロール表面に簡単に固定することを特徴と���る。これは棒スパナ、又は平スパスなどを使用することにより、吸盤を簡易に取付たり、取り外したりすることが出きる効果がある。【００１０】また、請求項６記載の搬送用吸盤取付ロールは、ロール表面においてロール回転軸中心に向かって穴を開け、この穴に雌ねじが切られたロール表面穴部と、前記雌ねじに対応する雄ねじボルトからなり、吸盤をロール表面に固定することを特徴とする。前記同様にボルトによって着脱自在の効果を得ることが出来る。
【考案の効果】
【００１１】上記の構成を備えた本考案は、その１つとしてピンまたはスプリングピンを持つことにより確実に吸盤はロール表面に固定されるものである。また、雄ねじを持つピンが雌ねじの穴に捻じ込まれることによって、吸盤はロール表面に容易確実に固定される。さらにロール表面の穴の下部の拡径部に吸盤脚部の拡径部を嵌めることによって、吸盤はロール表面に容易に固定される。
つぎに、ロール表面において回転軸中心に向けて適宜に開けられた穴に雌ねじを立てたるに吸盤脚部の雄ねじを捻じ込むことによって、吸盤はロール表面に正確に固定される。又、前記穴に雌ねじを設けたるに吸盤はボルトを使用することによって、吸盤はロール表面に安全容易に固定される。このことによって吸盤の吸着不能になった吸盤の交換の際は確実安全に且つ、迅速にメンテナンスを完了する効果がある。
【考案を実施するための最良の形態】
【００１２】以上述べたように本考案の請求項１から６記載の搬送用吸盤取付ロールの取付手段は、最良の形態を実現したものである。
【実施例１】次に図面を用いて本考案のうち、ピンを用いた吸盤固定手段を実施例１について説明する。
図１は本考案の実施例１の斜視図である。搬送用ロール１において、ロール回転軸２に平行にロール端面３にロール貫通孔４を設けたるに、この孔にピン５が挿入される。ロール表面６に前記ロール貫通孔４に連通するロール表面穴部７が設けられ、この穴部７に吸盤８が挿入固定される。
以下に更に詳細に説明する。
図２はロール貫通孔とロール表面穴部の断面を示す。ロール貫通孔４はロール回転軸（図示せず）に平行にロール両端面３、３′を貫通して穿孔されている。一方ロール表面穴部７はロール表面６にロール回転軸（図示せず）中心に向かって穿孔され前記ロール貫通孔４と連通している。
図３は吸盤８の断面図である。吸着部９の背面に突出形成された脚部１０にピン５が嵌合する吸盤貫通孔１１が形成されている。吸盤は樹脂、例えば（塩化ビニール樹脂）あるいは（ＰＶＣ樹脂）製等である。
さらに図４はピン５による吸盤固定状況断面図を示す。図２に示したロール表面穴部７に図３に示した吸盤８を挿入し、続いて吸盤８の吸盤貫通孔１１の中心と図２のロール貫通孔４の中心を合わせるとともにロールの一端面３よりピン５を挿入してピン５を介して搬送用ロール１に吸盤８を固定する。
図５はピンの一種である、スプリングピン１２の拡大図ある。スプリングピン１２は金属製でパイプ状をＣ形の断面にしたもので拡張性の弾力によって貫通孔に挿入された場合強振動に対しても、密着固定する。
図６は雄ねじピンを使用した場合のロール貫通孔断面を示す。ロール貫通孔１３の一部には雌ねじが切られている。なお、ロール表面穴部７は図２と同様である。
図７は雄ねじと溝が切られたピン１４を示す。ピン１４の一端に適宜長さに雄ねじ１５を切り、他の一端にプラスまたはマイナスドライバー挿入溝１６が切られている。
図８は雄ねじと溝が切られたピンにによる吸盤固定状況断面を示す。前述の図４のピンとして雄ねじと溝が切られたピン１４を介して搬送用ロール１に吸盤８を固定する。
【実施例２】次にピンを用いない吸盤固定手段を述べる。
図９は拡径部を有するロール表面穴部のの断面を示す。ロール表面６にロール表面穴拡径部１７を有する拡径部付きロール表面穴部１８が穿孔されている。
図１０は拡径部を有する吸盤の断面図である。吸着部２０の背面に突出形成された脚部２１に吸盤拡径部２２を持つごとく形成されている。
図１１は拡径部を有する吸盤の固定状況断面を示す。前述の図１０の拡径部付吸盤１９が図９に見る拡径部付きロール表面穴部１８に挿入されて吸盤１９が固定される。
図１２は搬送用ロール１に雌ねじが立てられた断面を示す。即ち雌ねじ付穴２３はロール表面６に穿孔された穴にタップによって雌ねじが立てられたものである。
図１３は雄ねじ付吸盤の断面図である。吸着部２５の背面に突出形成された脚部２７に雄ねじが切られたものである。又脚部頭部にはドライバー挿入溝２６を有し、吸盤取りつけ、取りはずし時に使用するものである。
図１４は雄ねじ付吸盤２４の固定状況断面を示す。脚部頭部に形成されたドライバー挿入溝２６によって捻じ込まれて吸盤２４は固定される。
図１５搬送用ロール１の表面に雌ねじが立てられた断面を示す。即ち雌ねじ付穴２８はロール表面６に穿孔された穴にタップによって雌ねじが立てられたものである。
図１６は座部付吸盤９の断面図である。吸着部３０の背面に中央に穴を持つ座部３１が形成される。
図１７は先端に雄ねじが切られたボルト３２である。
図１８は座部付吸盤２９がボルト３２によって固定された状況の断面を示す。座部付吸盤３１の中央に穴の明いた座３１を通して雌ねじ付穴２８にボルト３２を捻じ込むことによって吸盤２９は固定される。
図１９は分割ロールを複数個並列に結合装着された状態を示す。巾広ロールにおいては、ピン貫通孔が長くなるためロールの孔明け加工が難しいので、各個に分割して、回転軸３３に複数並列に連結された状態となる。３４はストッパー用カラー。３５はカラーと軸を止めるスプリングピン。３６は回転軸用キーである。
図２０は一本のロールに複数個適宜位置に吸盤を固定した状態を示す。回転ロール１表面の穴にそれぞれの特性を持つ吸盤を挿入、又は捻子込んで固定した斜視図である。ピンなどを使用することなく容易に固定することが出来る。即ち、拡径部を持つ吸盤１９は１８、（１７）の脚部嵌合穴に挿入することにより、また雄ねじ付吸盤２４は雄ねじ付穴２３に捻じ込むことによって、さらに、座部付き吸盤２９はボルト３２によって雌ねじ付穴２８に捻じ込まれて固定される。
【図面の簡単な説明】
【００１３】
【図１】本考案の実施例１の斜視図である。
【図２】ロール貫通孔とロール表面穴部の断面を示す。
【図３】貫通孔を持つ吸盤の断面図である。
【図４】スプリングピンによる吸盤固定状況断面を示す。
【図５】スプリングピンの拡大図である。
【図６】雄ねじピンを使用した場合のロール貫通孔断面を示す。
【図７】雄ねじと溝が切られたピンを示す。
【図８】雄ねじと溝が切られたピンによる吸盤固定状況断面を示す。
【図９】拡径部を有するロール表面穴部断面を示す。
【図１０】拡径部を有する吸盤の断面図である。
【図１１】拡径部を有する吸盤の固定状況断面を示す。
【図１２】搬送用ロールに雌ねじが立てられた断面を示す。
【図１３】雄ねじ付き吸盤の断面図である。
【図１４】雄ねじ付吸盤の固定状況断面を示す。
【図１５】搬送用ロールの表面に雌ねじが立てられた断面を示す。
【図１６】座部付吸盤の断面図である。
【図１７】雄ねじボルトの側面図である。
【図１８】座部付吸盤がとボルトによって固定された状況の断面を示す。
【図１９】分割ロールを複数個並列に結合装着された状態を示す
【図２０】一本のロールに複数個適宜位置に吸盤を固定した状態を示す。
【符号の説明】
【００１４】１    搬送用ロール
２    ロール回転軸
３    ロール端面
３′  〃
４    ロール貫通孔
５    ピン
６    ロール表面
７    ロール表面穴部
８    吸盤
９    吸盤吸着部
１０  吸盤脚部
１１  吸盤貫通孔
１２  スプリングピン
１３  雌ねじ付孔
１４  雄ねじ・溝付きピン
１５  雄ねじ
１６  ドライバー挿入溝
１７  ロール表面穴拡径部
１８  拡径部付きロール表面穴部
１９  拡径部付吸盤
２０  吸盤吸着部
２１  吸盤脚部
２２  吸盤拡径部
２３  雌ねじ付穴
２４  雄ねじ・溝付き吸盤
２５  吸盤吸着部
２６  ドライバー挿入溝
２７  雄ねじ付脚部
２８  雌ねじ付孔
２９  座部付吸盤
３０  吸盤吸着部
３１  穴付座部
３２  雄ねじボルト
３３  回転軸
３４  カラー
３５  スプリングピン
３６  回転軸用キー
【図１】
0003141242.tif 000003
【図２】
0003141242.tif 000004
【図３】
0003141242.tif 000005
【図４】
0003141242.tif 000006
【図５】
0003141242.tif 000007
【図６】
0003141242.tif 000008
【図７】
0003141242.tif 000009
【図８】
0003141242.tif 000010
【図９】
0003141242.tif 000011
【図１０】
0003141242.tif 000012
【図１１】
0003141242.tif 000013
【図１２】
0003141242.tif 000014
【図１３】
0003141242.tif 000015
【図１４】
0003141242.tif 000016
【図１５】
0003141242.tif 000017
【図１６】
0003141242.tif 000018
【図１７】
0003141242.tif 000019
【図１８】
0003141242.tif 000020
【図１９】
0003141242.tif 000021
【図２０】
0003141242.tif 000022
【手続補正書】
【提出日】平成20年1月25日(2008.1.25)
【手続補正１】
【補正対象書類名】実用新案登録請求の範囲
【補正対象項目名】請求項６
【補正方法】変更
【補正の内容】
【請求項６】
「ロール表面においてロール回転軸中心に向かって穴を開け、この穴に雌ねじが切られた雌ねじ付穴を設け、この雌ねじ付穴上部にあらかじめ座部の中央に貫通穴が開けられた吸盤を設置し、前記雌ねじに対応する雄ねじを吸盤座部の貫通穴に通過させて雄ねじを雌ねじ付穴に捻じ込むことによって、吸盤を表面に固定することを特徴とする搬送用吸盤取付ロール。」